(57)【要約】【課題】メンテナンス作業性を損なうことなく不正行為を効率的に防止する。【解決手段】電源装置基板（４０２）を収容する電源装置ケース（４０３）には複数の放熱孔（５００）が形成されている。また、透光性を有する透明カバー（４０４）が電源装置基板の重要部であるＣＰＵ（４７５）を覆いかつ電源装置ケースの放熱孔を塞ぐ位置に配置されている。これにより、電源装置基板への不正なアクセスを防止するとともに、電源装置内部の目視確認可能とする。【選択図】図４
2008173340.tif 000002
【特許請求の範囲】
【請求項１】
開口を有する箱状の筐体と、該筐体の開口に対して開閉可能に支持され前面に複数の入球口が配設された遊技盤を有する第１扉部材と、該第１扉部材に開閉可能に支持され前記遊技盤の盤面に対向して遊技領域をなすガラス枠部及び遊技操作部を有してなる第２扉部材とを備え、遊技者が前記遊技操作部を操作して前記遊技領域に打ち出した遊技球が何れかの前記入球口へ落入することで得られる図柄の組合せに基づいて上がりの役を成立させるようにした雀球遊技機であって、
前記筐体内には、外部から供給される電力を所要の電源電圧に変換し配電する電源装置基板と、適宜の箇所に複数の放熱孔が穿孔形成され前記電源装置基板を収容する電源装置ケースとを有してなる電源装置が備えられ、
前記電源装置は、前記電源装置基板の所定部位を覆いかつ前記電源装置ケースの内側面の一部に隣接して当該放熱孔を塞ぐ位置に配置される、透光性を有するケースカバー部材を備えていることを特徴とする雀球遊技機。
【請求項２】
前記電源装置の前記電源装置基板の少なくとも一端部には、前記筐体内に備えられている他の電気回路基板とハーネスを介して電気的に接続するコネクタ接続部が設けられ、
前記コネクタ接続部に接続される前記ハーネスの接続端には、当該コネクタ接続部を包囲する、可撓性を有するコネクタカバー部材が更に備えられていることを特徴とする請求項１に記載の雀球遊技機。
【請求項３】
前記電源装置の前記電源装置ケースの一つの外面には、当該外面に対して内方へ陥没する、ヒューズを収容するためのヒューズ収容部が形成されるとともに、前記ヒューズ収容部を覆うように閉塞するヒューズカバー部材が設けられ、
前記ヒューズカバー部材は、前記ヒューズ収容部の一縁部において、第１ローレットネジにより回動可能に締着固定されるとともに、前記一縁部に対し前記ヒューズ収容部を挟む対角側の他縁部において、前記第１ローレットネジを中心とする所定半径円周に沿って当該ヒューズカバー部材本体に切り欠き形成されたスリットを介して第２ローレットネジにより締着固定されていることを特徴とする請求項１又は２に記載の雀球遊技機。
【請求項４】
前記電源装置の前記電源装置基板は、非導電性を有する弾性材からなる弾性部材を介在させて前記筐体の背板の内側面に取り付けられていることを特徴とする請求項１〜３の何れか１項に記載の雀球遊技機。
【請求項５】
開口を有する箱状の筐体と、該筐体の開口に対して開閉可能に支持され前面に複数の入球口が配設された遊技盤を有する第１扉部材と、該第１扉部材に開閉可能に支持され前記遊技盤の盤面に対向して遊技領域をなすガラス枠部及び遊技操作部を有してなる第２扉部材とを備え、遊技者が前記遊技操作部を操作して前記遊技領域に打ち出した遊技球が何れかの前記入球口へ落入することで得られる図柄の組合せに基づいて上がりの役を成立させるようにした雀球遊技機であって、
当該遊技を制御する主制御基板は、主制御基板ケースに収容されるとともに、前記筐体の背板に固定した金属板を介在させて当該背板の内側面に取り付けられていることを特徴とする雀球遊技機。
【発明の詳細な説明】
【技術分野】
【０００１】
本発明は雀球遊技機に関し、詳細には内蔵する電源装置に対する不正行為を防止する対策が講じられた雀球遊技機に関する。
【背景技術】
【０００２】
従来、遊技盤面に打ち出された遊技球が何れかの入球口へ落入することで得られる図柄の組合せに基づいて麻雀の上がり役を成立させる雀球遊技機が知られている。近年、実用化された雀球遊技機は、麻雀牌の図柄が付された複数の入球口を有する遊技盤と、ゲームに必要な遊技メダルを投入するためのメダル投入部と、レバー操作に連動して遊技球を遊技盤の盤面へ打ち出す球発射装置と、手牌の図柄等を表示するための表示装置と、捨牌の操作をするための捨牌ボタン等が配置されたコンパネ部と、上がり役に応じて所定枚数の遊技メダルを払い出すメダル払出装置と、ゲームの全体的な進行を制御する主制御基板等とを備えている。
【０００３】
このような捨牌機能を有する雀球遊技機は、遊技者が所定枚数の遊技メダルをメダル投入部より投入しゲーム開始の指示を行うと、制御装置が最初の手牌として例えば１４個の麻雀牌を抽選決定（自動配牌）し、表示装置にそれらの図柄（麻雀牌）を表示させる。そして、捨牌ボタンが押圧操作されると、制御装置は対応する麻雀牌を手牌から切り捨てる処理を行う。これにより、遊技者は、表示された図柄を見ながら不要と判断した麻雀牌を捨てる捨牌操作を行う。また、遊技者は、球発射装置を操作し、１個の遊技球を遊技盤面に打ち出すことで自摸操作を行う。すなわち、遊技盤面に打ち出された遊技球が何れかの入球口に落入することにより、その入球口に対応する図柄の麻雀牌が手牌に加えられる。遊技者は、かかる捨牌と自摸の操作をゲーム開始時に与えられる例えば１１個の遊技球を使って繰り返し行い、全ての遊技球を使い切る前に予め設定された何れかの麻雀役（上がり役）を完成させることにより、その上がり役に応じた枚数の遊技メダルを獲得することができる（例えば特許文献１参照）。
【０００４】
また、雀球遊技機は、外部から供給される電力を所要の電源電圧に変換し、上述の主制御基板や各種内蔵機器類の電気回路基板へ電力を配電する電源装置を筐体内に備えている。近年、雀球遊技機においては、針金等の不正挿入による電源装置や主制御基板等に対する不正行為を効率的に防止する対策への要請が高まってきている。
【０００５】
例えば、従来の遊技機に備えられる電源装置においては、電源装置ケースに複数形成される放熱孔を遮蔽板で閉塞する不正行為防止策が提案され（例えば特許文献２参照）、また電源装置のコネクタ接続部をカバー部材で覆う不正行為防止策も実用化されている。さらに、遊技機の主制御基板への不正行為防止策としては、主制御基板ケースと筐体内の間に合成樹脂製のケース取付台を設ける方策が提案されている（例えば特許文献３参照）。
【０００６】
【特許文献１】特開２００５−０８０８４５号公報
【特許文献２】特開２００４−０２４６５３号公報
【特許文献３】特開２００３−１８０９１７号公報
【発明の開示】
【発明が解決しようとする課題】
【０００７】
しかしながら、上述した従来の電源装置の放熱孔を遮蔽板で閉塞する不正行為防止策では、放熱孔が遮蔽板で閉塞されるため、放熱孔を通しては電源装置内部の目視検査が行えず不正部品の発見が遅れるといった課題があった。また、上述のコネクタ接続部をカバー部材で覆う方策では、メンテナンスの際にコネクタの抜き差しが困難になるという課題があった。また、主制御基板ケースと筐体内の間にケース取付台を設ける方策では、筐体の裏側からの不正な孔開け等の行為に対する防護効果が十分とはいえなかった。
【０００８】
本発明は、こうした従来の課題に鑑みてなされたものであり、例えばメンテナンスの際の作業性を損なうことなく不正行為を効率的に防止できる等の雀球遊技機を提供することを目的としている。
【課題を解決するための手段】
【０００９】
かかる課題を解決するため請求項１に記載の発明は、開口を有する箱状の筐体（例えば筐体３０）と、該筐体の開口に対して開閉可能に支持され前面に複数の入球口が配設された遊技盤を有する第１扉部材（例えば中枠部材７０）と、該第１扉部材に開閉可能に支持され前記遊技盤の盤面に対向して遊技領域をなすガラス枠部及び遊技操作部を有してなる第２扉部材（例えばガラス枠部材６０）とを備え、遊技者が前記遊技操作部を操作して前記遊技領域に打ち出した遊技球が何れかの前記入球口へ落入することで得られる図柄の組合せに基づいて上がりの役を成立させるようにした雀球遊技機（例えば雀球遊技機１０）であって、
前記筐体内には、外部から供給される電力を所要の電源電圧に変換し配電する電源装置基板（例えば電源装置基板４０２）と、適宜の箇所に複数の放熱孔（例えば放熱孔５００）が穿孔形成され前記電源装置基板を収容する電源装置ケース（例えば電源装置ケース４０３）とを有してなる電源装置（例えば電源装置３２）が備えられ、
前記電源装置は、前記電源装置基板の所定部位を覆いかつ前記電源装置ケースの内側面の一部に隣接して当該放熱孔を塞ぐ位置に配置される、透光性を有するケースカバー部材（例えば透明カバー４０４）を備えていることを特徴とする。
【００１０】
請求項１に記載の雀球遊技機によれば、透光性を有するケースカバー部材が、電源装置基板の例えば重要な電子回路が形成される所定部位を覆うように、電源装置ケースの内側面に隣接して配置される。かかるケースカバー部材を設けることにより、放熱孔から不正器具を内部へ挿入して電源装置基板の所定部位に接触させる等の不正行為をできなくするとともに、透光性を有するケースカバー部材と放熱孔を通して電源装置内部の状態が視認できる。このため、目視検査の際の作業性を損なうことなく電源装置に対する不正行為を効率的に防止できる。
【００１１】
請求項２に記載の発明は、請求項１に記載の雀球遊技機であって、前記電源装置の前記電源装置基板の少なくとも一端部には、前記筐体内に備えられている他の電気回路基板とハーネス（例えばハーネス８０１）を介して電気的に接続するコネクタ接続部（例えばコネクタ接続部８４０）が設けられ、前記コネクタ接続部に接続される前記ハーネスの接続端には、当該コネクタ接続部を包囲する、可撓性を有するコネクタカバー部材（例えばコネクタカバー８２１）が更に備えられていることを特徴とする。
【００１２】
請求項２に記載の雀球遊技機によれば、ハーネスの接続端が電源装置基板のコネクタ接続部に接続した状態で、可撓性を有するコネクタカバー部材がそのコネクタ接続部を包囲する。これにより、作業者は、コネクタカバー部材を上から摘んでハーネスの着脱作業を容易に行うことができ、メンテナンスの際の作業性を損なうことなく、コネクタ接続部に対する不正行為を効率的に防止できる。
【００１３】
請求項３に記載の発明は、請求項１又は２に記載の雀球遊技機であって、前記電源装置の前記電源装置ケースの一つの外面には、当該外面に対して内方へ陥没する、ヒューズを収容するためのヒューズ収容部（例えば凹部５１０）が形成されるとともに、前記ヒューズ収容部を覆うように閉塞するヒューズカバー部材（例えばヒューズカバー板４０６）が設けられ、前記ヒューズカバー部材は、前記ヒューズ収容部の一縁部（例えばネジ孔５０６）において、第１ローレットネジ（例えばローレットネジ４０７）により回動可能に締着固定されるとともに、前記一縁部に対し前記ヒューズ収容部を挟む対角側の他縁部（例えばネジ孔５０７）において、前記第１ローレットネジを中心とする所定半径円周に沿って当該ヒューズカバー部材本体に切り欠き形成されたスリット（例えばスリット５３２）を介して第２ローレットネジ（例えばローレットネジ４０８）により締着固定されていることを特徴とする。
【００１４】
請求項３に記載の雀球遊技機によれば、電源装置のヒューズ収容部を閉塞するためのヒューズカバー部材を、第１ローレットネジを中心に回動可能に仮止めすることができるとともに、対角側の第２ローレットネジに対してはヒューズカバー部材本体に切り欠き形成されたスリットを介して挿脱可能となる。したがって、ヒューズ収容部を閉塞する所定位置にヒューズカバー部材を容易に設置し、または脱着させることができる。
【００１５】
請求項４に記載の発明は、請求項１〜３の何れか１項に記載の雀球遊技機であって、前記電源装置の前記電源装置基板は、非導電性を有する弾性材からなる弾性部材（例えばゴム板９４１）を介在させて前記筐体の背板（例えば背板３１ｅ）の内側面に取り付けられていることを特徴とする。
【００１６】
請求項４に記載の雀球遊技機によれば、電源装置基板は、非導電性を有する弾性材からなる弾性部材を介在させて筐体の背板の内側面に取り付けられるので、電気的な絶縁性を確保しながらも不正行為を効率的に防止できる。
【００１７】
請求項５に記載の発明は、開口を有する箱状の筐体（例えば筐体３０）と、該筐体の開口に対して開閉可能に支持され前面に複数の入球口が配設された遊技盤を有する第１扉部材（例えば中枠部材７０）と、該第１扉部材に開閉可能に支持され前記遊技盤の盤面に対向して遊技領域をなすガラス枠部及び遊技操作部を有してなる第２扉部材（例えばガラス枠部材６０）とを備え、遊技者が前記遊技操作部を操作して前記遊技領域に打ち出した遊技球が何れかの前記入球口へ落入することで得られる図柄の組合せに基づいて上がりの役を成立させるようにした雀球遊技機（例えば雀球遊技機１０）であって、
当該遊技を制御する主制御基板（例えば主制御基板１００）は、主制御基板ケース（例えばプラスチックケース５５１と５５２）に収容されるとともに、前記筐体の背板（例えば背板３１ｅ）に固定した金属板（例えば金属板８４１）を介在させて当該背板の内側面に取り付けられていることを特徴とする。
【００１８】
請求項５に記載の雀球遊技機によれば、主制御基板ケースに収容される主制御基板は、筐体の背板に固定された金属板を挟んで取り付けられるため、例えば筐体の背後から孔を開けて主制御基板にアクセスする等の不正行為を効率的に防止できる。
【発明の効果】
【００１９】
上述したように、本発明に係る雀球遊技機によれば、例えばメンテナンスの際の作業性を損なうことなく不正行為を効率的に防止できる。これにより、遊技施設において、雀球遊技機の運用コスト等を低減するとともに不正行為防止の両立を図ることができる。
【発明を実施するための最良の形態】
【００２０】
以下、本発明に係る雀球遊技機の好適な実施形態を雀球遊技機を例にして説明する。ここで、図１は本発明の１つの実施形態による雀球遊技機１０の正面図、図２はその側面図である。
【００２１】
始めに、雀球遊技機１０の外観構造を図１及び図２を参照して説明する。図１に示す雀球遊技機１０は、主に合成木板材により形成される略箱状の筐体３０（図２参照）に対し、蝶番軸支部１２を介して前枠１１が回動開閉可能に軸支されている。
【００２２】
前枠１１の前面は、開口部１３ａを塞ぐように嵌着された透明板（ペアガラス）を介して遊技盤面２０を臨ませるガラス枠部１３と、手牌や捨牌等の図柄や雀球遊技に必要なその他の情報を表示する第１の演出制御液晶表示装置１４及び各種操作スイッチを配置するコンパネ部１５とが、上下に連結して形成されている。
【００２３】
なお、前枠１１は、図２に示すように、ガラス枠部１３及びコンパネ部１５を一体化したガラス枠部材６０と、その背後においてガラス枠部材６０を回動開閉可能に支持する中枠部材７０との２つの扉部材を備えて構成されている。通常、中枠部材７０は、筐体３０を閉塞する状態で施錠されるとともに、ガラス枠部材６０も中枠部材７０側に閉塞して施錠されている。
【００２４】
また、図１において、前枠１１の右端部には、中枠部材７０（図２参照）及びガラス枠部材６０（図２参照）を所定の鍵を挿入して解錠操作するための鍵穴１８が設けられている。
【００２５】
ガラス枠部１３には、開口部１３ａを囲むように立体的に装飾デザインされた演出用ランプ１６ａ、１６ｂが形成されている。ガラス枠部１３を通して目視される遊技盤面２０の略中央部には、第２の演出制御液晶表示装置２１がその周囲を装飾する飾り部２２とともに配設されている。この第２の演出制御液晶表示装置２１は、例えば遊技者が捨牌操作をするときに手牌のうちから捨てるべき不要な牌の図柄を事前に表示したり、自摸操作をするときには自摸すべき牌の図柄を表示することで、初心者でも雀球遊技を楽しんでもらえるようにする遊技アシスト・ナビゲーションの表示装置として主に用いられる。
【００２６】
遊技盤面２０の最上部には、７セグのＬＥＤ（発光ダイオード）や複数のＬＥＤ素子がマトリクス状に配置されたドットランプ装置２３が配置されている。ドットランプ装置２３は、雀球遊技機１０の各種状態を予め定められているＬＥＤの点灯パターンによって表示する。
【００２７】
演出制御液晶表示装置２１の上方には、２つの入球口２５ａ、２５ｂと、特別入球口（以下「アタッカー」という）２４が配置されている。なお、左の入球口２５ａは麻雀牌（以下「牌」という）の例えば「一索」が対応付けられ、右の入球口２５ｂは「九索」が対応付けられている。
【００２８】
アタッカー２４の右方には、通過口（以下「ゲート」という）２６が配置され、また飾り部２２の左右に風車２７が配置されている。更に、遊技盤面２０の最下方部には、複数の入球口を有する入球口列２８が配設されている。
【００２９】
この入球口列２８には、例えば２５個の入球口が形成されており、図示はしていないが向かって左端から「東」、「南」、「一萬」〜「九萬」の順で各牌の図柄が対応付けられ、中央に「白」、「發」、「中」及び右端にかけて「一筒」〜「九筒」、「西」、「北」の図柄がそれぞれ順に対応付けられている。雀球遊技においては、何れかの入球口に遊技球が落入すると、当該入球口に対応付けられた図柄の牌が自摸されたものとして処理が進行する。
【００３０】
遊技盤面２０を略半円状に画している左側内壁の一部（外レール）と、それとほぼ並行して設けられる帯状のレール部材（内レール）２９ａとにより球発射通路２９が形成されている。なお、図示はしていないが、遊技盤面２０には所定のゲージ設定に対応した多数本の釘が打設されている。すなわち、球発射装置７４０により打ち出された遊技球は、球発射通路２９を介して遊技盤面２０の遊技領域へ導かれ、複数のゲージ（釘）に衝突しその落下する方向を偶発的に変えながら何れかの入球口に落入するようになっている。
【００３１】
前枠１１の略中段に形成されるコンパネ部１５は、前面視略上弦状の形態を有してガラス枠部１３よりも前方へ突出しており、前方に下って傾斜する略平坦な上部面１５ａと、上部面１５ａの前端縁から丸みを帯びて後方に下って傾斜する下部面１５ｂとを備えている。上部面１５ａの略中央には、矩形横長の表示面を有する上述した第１の演出制御液晶表示装置１４が配置されている。
【００３２】
また、上部面１５ａの左方部には、ゲームを行うのに必要な遊技メダル（以下「メダル」という）を投入するためのスリットが形成されたメダル投入部４０と、内部に詰まらせたメダルを強制的に排除させるためのメダル返却ボタン４１が設けられている。また、メダル投入部４０に隣接して、押圧式のボタンスイッチからなるＢＥＴ（ゲーム開始）ボタン４３が配設されている。
【００３３】
また、コンパネ部１５の上部面１５ａにおいて演出制御液晶表示装置１４の下端に近接する位置には、それぞれ同一仕様の押圧スイッチからなる捨牌ボタン４２が例えば１４個配列されている。各捨牌ボタン４２は、演出制御液晶表示装置１４に表示される１３個の手牌と自摸した１個の牌にそれぞれ対応しており、遊技者は何れかの捨牌ボタン４２を任意に選択して押圧することで、対応する牌を切り捨てる捨牌操作を行うことができる。
【００３４】
また、上部面１５ａの右方部には、リーチボタン４４と、左右のシフトボタン４５ａ、４５ｂと、選択決定ボタン４６等が何れも押圧式のキースイッチとして配設されている。更に、コンパネ部１５の下部面１５ｂには、演出用ランプ１７ａ、１７ｂがそれぞれ左右両端部に設けられている。
【００３５】
前枠１１の最下部には、一体皿パネル１９が形成されている。この一体皿パネル１９には、メダルの受け皿部５１と、この受け皿部５１へメダルを排出する下向きの開口を有するメダル出口部５２と、スピーカが内側に配置される放音口５３ａ、５３ｂとがそれぞれ所定位置に形成されている。また、一体皿パネル１９の右端部には、遊技球を遊技盤面２０へ発射する回動操作をするための球発射レバー８１が設けられている。
【００３６】
かかる雀球遊技機１０におけるゲームの進行及び制御は、筐体３０に内蔵される後述の主制御基板が所定のプログラムに従って演算処理を実行することで、一般には次のようにして行なわれる。
【００３７】
まず、遊技者がメダル投入部４０に所定枚数（例えば３枚）のメダルを投入し、ＢＥＴボタン４３を押圧操作すると、主制御基板がゲーム開始時の手牌（配牌）として１４個の牌の図柄を乱数発生手段を用いた内部抽選により決定する。そして、この１４個の自動配牌した牌の図柄が演出制御液晶表示装置１４に表示されるとともに、その配牌した図柄のコードデータがメモリに記憶される。
【００３８】
主制御基板は、この配牌（手牌）のコードデータを参照し、何れの麻雀役（上がり役）をも完成することができない不要な牌や、ゲーム開始時に遊技者が選択した難易度（大役狙いか小役狙いか）の基準に応じて捨てるべき牌を選定し、それらの図柄を演出制御液晶表示装置２１に案内表示（ナビ）する。遊技者は、表示された図柄を参考にして、自ら不要と判断した１個の牌を対応する捨牌ボタン４２を押圧して捨牌操作する。このとき、主制御基板は、捨牌操作に応じて手牌のコードデータを更新するとともに、この１３個になった手牌の図柄を演出制御液晶表示装置１４に表示させる。そして、主制御基板は、１個の遊技球を球発射装置７４０に供給して球発射（打ち出し）の準備を整える。
【００３９】
同時に、主制御基板は、１３個の手牌から成立の可能性のある上がり役を算出し、設定された難易度に基づいて目標とする上がり役を選定する。そして、その上がり役を構成する手牌にない牌を自摸すべき牌として選定し、その図柄を演出制御液晶表示装置２１に案内表示させる。
【００４０】
次いで遊技者は、球発射レバー８１を操作して１個の遊技球を遊技盤面２０へ打ち出すことで、何れかの入球口２５ａ、２５ｂ、２８へ遊技球を落入させる自摸操作を行う。そして、主制御基板は、遊技球の落入を検知した入球口に対応する牌を自摸した牌（自摸牌）として手牌に加える。すなわち、自摸操作前の手牌のコードデータに自摸した牌のコードデータを加えて更新するとともに、その自摸した牌の図柄を演出制御液晶表示装置１４に表示させる。
【００４１】
このとき、主制御基板は、この自摸操作により１４個になった手牌の図柄の組合せが予め設定された上がり（和了）役を完成しているか否かを判定する処理を行う。手牌が何れの上がり役をも完成していない場合には、主制御基板は、上述した処理と同様に捨てるべき牌を選定し、その図柄を演出制御液晶表示装置２１に案内表示する。そして、遊技者は、再び手牌から不要な牌を捨てる捨牌操作を行う。
【００４２】
遊技者は、１回のゲームに与えられる例えば１１個の遊技球を使ってこのような捨牌と自摸操作を繰り返し行い、全ての遊技球を使い切る前に１４個の手牌により何れかの上がり役の組合せを完成させると、その上がり役ごとに予め設定されている枚数のメダルがメダル出口部５２から受け皿部５１へ払い出される。
【００４３】
一方、遊技者が上記所与の個数の遊技球を使い切っても何れの上がり役をも完成させることができなかった場合には、主制御基板は当該ゲームを終了（流局）させる処理を行う。
【００４４】
また、遊技者が完成させた上がり役がゲーム開始時に乱数発生手段を用いた内部抽選により決定された特定の上がり役（例えば「大三元」など）と同一である場合には、次回以降の所定ゲーム数について通常のゲームよりも遊技者に有利な特別遊技役（ボーナスゲーム役）の利益を付与する。
【００４５】
なお、一般に雀球遊技機１０には、特別遊技役としてビックゲーム役とチャンスゲーム役の２種類の役が備えられている。ビックゲーム役とは、予め内部抽選された特定の上がり役（例えば「国士無双」や「大三元」など）で上がると、当該ゲームを含む以降の所定回数のゲームについて、遊技者に有利な条件を与える役をいう。
【００４６】
すなわち、ビックゲーム役が作動したゲームにおいては、遊技盤面２０のゲート２６が有効となり、打ち出された遊技球がこのゲート２６を通過すると、アタッカー２４の扉が開口する。そして、このアタッカー２４に遊技球が落入すると、遊技者はシフトボタン４５ａ、４５ｂや選択決定ボタン４６等を操作して、自摸牌として所望する牌を任意に選択できる。そして、遊技者は、このビックゲーム役が作動したゲームで上がり役を完成させると、通常よりも多くの得点数（メダル枚数）を獲得することができる。
【００４７】
次に、チャンスゲーム役とは、予め内部抽選された特定の上がり役（例えば「平和」、「一盃口」など）で上がると、当該ゲームで獲得される得点数を通常のゲームよりも多く加算するか、または次の１回のゲームのみ上述のビッグゲーム役を有効にする役をいう。
【００４８】
なお、雀球遊技機１０には、かかる特別遊技役の他にも予め設定された上がり役の条件でゲームが終了したときに得点数を通常よりも増加させる得点増加手段が備えられている。例えば、この得点増加手段は、上がり役を完成した手牌に内部抽選されたドラ牌が含まれていると、そのドラ牌１個について所定の枚数のメダルを更に加算する。
【００４９】
次に、かかる雀球遊技機１０において、筐体構造について更に詳細に説明する。上述したように雀球遊技機１０は、前面側に開口３０ａを有する略箱状の筐体３０と、筐体３０の開口３０ａに対して開閉可能な前枠１１とを備えている。更に、前枠１１は、図２に示すように、２つの扉部材であるガラス枠部材６０と中枠部材７０とから構成されている。ここで、図３は、前枠１１を取り外した状態での筐体３０の正面図であり、主に筐体３０の内部構造を表している。
【００５０】
図３において、筐体３０は、上板３１ａ、底板３１ｂ、左右の側板３１ｃ、３１ｄ及び背板３１ｅを有して前方に開口３０ａを形成する。筐体３０の背板３１ｅの内側上部には、電源装置３２と、外部端子基板３３とが取り付けられている。
【００５１】
電源装置３２は、電源コード４７９が延出している。電源コード４７９は、背板３１ｅに形成された貫通孔３１ｆに挿入し、プラグ４７９ａを設けた一端側が筐体３０の外側に延出する。電源装置３２は、外部からプラグ４７９ａを介して電源コード４７９に供給される電力を雀球遊技機１０の各機器の所定作動電圧に変換し、それぞれに必要な容量の電力を配電する。
【００５２】
外部端子基板３３は、雀球遊技機１０の例えばアウト（投入メダル）数、セーフ（獲得メダル）数、特別遊技役（ビッグ、チャンス等）の作動回数等の情報を示す信号を外部の例えばホールコンピュータへ出力するためのインターフェース回路基板である。
【００５３】
筐体３０の背板３１ｅの略中央部には、主制御基板１００を主制御基板ケースとしての透明なプラスチックケース５５１、５５２（図１３参照）に格納した主制御装置３４が、左右の取付ブラケット５８１、５８２を介して離脱不能に取り付けられている。この主制御基板１００は、ＣＰＵと、ＲＯＭ・ＲＡＭ等の半導体メモリ等を搭載するマイコンベースの制御回路基板であり、ＲＯＭに記憶された所定のプログラムに従ってＣＰＵが演算処理を実行することで、雀球遊技機１０のゲーム進行及び各機器の駆動など、全体の動作を統括して制御している。
【００５４】
主制御装置３４の下方には、中継基板３６が透明なケース内に収容されて設けられている。中継基板３６は、例えば電源装置３２からメダル払出装置３８への電力供給用のハーネス、及び主制御装置３４とメダル払出装置３８間の制御信号用のハーネスをそれぞれコネクタを介して電気的に接続している。
【００５５】
筐体３０の底板３１ｂに設置されているメダル払出装置３８は、複数枚のメダルを貯留し得る概略椀形状のホッパー部３８１と、ホッパー部３８１に貯留されているメダルをメダル放出口３８ａから１枚ずつ付勢して放出するメダル払出機構部３８２とを備えている。また、メダル払出装置３８に隣接して、当該ホッパー部３８１から溢れたメダルを受容するオーバーフロータンク３９が設置されている。
【００５６】
筐体３０において前枠１１が開閉する側の側板３１ｄの内壁には、上下２箇所のロックプレート１１１、１１２が、それぞれ当該側板３１ｄに直交して内側に延び前面を略垂直に立てた状態で固定されている。これらロックプレート１１１、１１２は、前枠１１（図２参照）側に設けられる施錠機構の鉤レバーと係止することで、前枠１１（図２参照）を筐体３０に対し閉塞した状態にロックする。下側のロックプレート１１２の下方近傍には、前枠１１側に設けられるローラ部材を案内・支持するガイドプレート１１３が上面を略水平にして側板３１ｄに固定されている。
【００５７】
次に、図４〜図１２を参照しながら、本発明に関する電源装置３２について詳細に説明する。図４は電源装置３２及びその周辺部の分解斜視図である。図５は筐体３０の背板３１ｅに取付板４０１及び電源装置基板４０２を取り付けた状態を示す斜視図である。図６は電源装置３２及びその周辺部の右斜め上側から見た斜視図である。図７は電源装置３２及びその周辺部の右斜め下側から見た斜視図である。図８は電源装置３２の透明カバー４０４及びその周辺部の断面図である。図９は電源装置３２のコネクタ接続部８４０の正面側から見た断面図である。図１０は電源装置３２のコネクタ接続部８４０の右側方から見た断面図である。図１１は電源装置３２及びその周辺部のヒューズカバー板４０６を閉じた状態の正面図である。図１２は電源装置３２及びその周辺部のヒューズカバー板４０６を開いた状態の正面図である。
【００５８】
図４において、電源装置３２は、取付板４０１と、電源装置基板４０２と、電源装置ケース４０３と、透明カバー４０４と、ヒューズ取付基板４０５と、ヒューズカバー板４０６と、第１及び第２のローレットネジ４０７、４０８と、ネジ４１１、４１２、…、４２５とから構成されている。なお、ここでローレットネジとは、ネジ頭部の周囲に例えば網目や平目状のローレットが刻まれ、同径の通常ネジよりもネジ頭部の直径が大きいネジをいい、ドライバ等の工具を使用しなくても、容易に締め付けや緩めることができるネジをいう。
【００５９】
取付板４０１は、金属板を略長四辺形に形成したものである。取付板４０１の上辺には、左右のネジ止め部４３１、４３２が上方に突出して形成されている。左右のネジ止め部４３１、４３２にはそれぞれ切欠き４３５及び長孔４３６が形成されている。切欠き４３５及び長孔４３６には、それぞれネジ４１１、４１２が挿通する。取付板４０１の上辺の中間部には、前方に膨出する段部４３９が形成されている。
【００６０】
取付板４０１の下辺には、左右のネジ止め部４３３、４３４が下方に突出して形成されている。左右のネジ止め部４３３、４３４にはそれぞれ切欠き４３７及び長孔４３８が形成されている。切欠き４３７及び長孔４３８には、それぞれネジ４１３、４１４が挿通する。
【００６１】
一方、背板３１ｅには、ネジ４１１、４１２、４１３、４１４のネジ部がそれぞれ螺入するネジ孔３３１、３３２、３３３、３３４が形成されている。
【００６２】
取付板４０１の一面の左上コーナー近傍及び右上コーナー近傍の位置には、前方に突出した舌片をＬ字状に折り曲げて形成したネジ止め部４４１、４４２がそれぞれ形成されている。取付板４０１の左下コーナー近傍及び右下コーナー近傍の位置には、それぞれネジ挿通孔４４５、４４６が形成されている。ネジ挿通孔４４５、４４６には、それぞれネジ４１９、４２０のネジ部が挿通する。取付板４０１のネジ挿通孔４４５、４４６の間を約二等分する位置には、ネジ４２１のネジ部が挿通するネジ挿通孔４４７が形成されている。取付板４０１の一面のネジ挿通孔４４５、４４６より若干上側の位置には、前方に突出した舌片をＬ字状に折り曲げて形成したネジ止め部４４３、４４４がそれぞれ形成されている。取付板４０１のネジ止め部４４２より若干左下の位置には、ネジ４２４のネジ部が挿通するネジ挿通孔４４８が形成されている。取付板４０１のネジ止め部４４４より若干左上の位置には、ネジ４２５のネジ部が挿通するネジ挿通孔４４９が形成されている。
【００６３】
電源装置基板４０２は、いわゆる配電盤に相当するものであり、略横長四辺形の印刷配線板４６０に各種部品を実装している。印刷配線板４６０の下辺の左コーナー及び右コーナーには切欠き４６１、４６２が形成されている。印刷配線板４６０の下辺の略中央には切欠き４６３が形成されている。
【００６４】
電源装置基板４０２の左上コーナー近傍及び右上コーナー近傍の位置には、それぞれネジ挿通孔４６５、４６６が形成されている。ネジ挿通孔４６５、４６６には、それぞれネジ４１５、４１６のネジ部が挿通する。
【００６５】
電源装置基板４０２の切欠き４６１、４６２より若干上側の位置には、それぞれネジ挿通孔４６７、４６８が形成されている。ネジ挿通孔４６７、４６８には、それぞれネジ４１７、４１８のネジ部が挿通する。電源装置基板４０２の印刷配線板４６０の一面となる部品実装面４７１には、コイル４７２、コンデンサ４７３、４７４、ＣＰＵ４７５、基板側コネクタ４７６、４７７、４７８等の電子部品が実装されている。これら電子部品は、電源装置基板４０２の他面に形成された印刷配線パターンを介して所定の組合せで接続されている。なお、ＣＰＵ４７５は、電源装置基板４０２の部品実装面４７１の右辺近傍における上下の中間部に取り付けられている。
【００６６】
印刷配線板４６０の部品実装面４７１のネジ挿通孔４６６より若干下側の位置には、雀球遊技機１０（図１参照）の外部に設けられた交流電源に一端側のプラグ４７９ａ（図３参照）が接続される電源コード４７９の他端が接続されている。
【００６７】
電源装置基板４０２の部品実装面４７１の切欠き４６２、４６３の間の位置には、基板側コネクタ４７６が設けられている。基板側コネクタ４７６は、主制御装置３４（図３参照）に電気的に接続するハーネス８０１のハーネス側コネクタ８１１と結合する。ハーネス８０１には、可撓性のコネクタカバー８２１が取り付けられている。
【００６８】
電源装置基板４０２の部品実装面４７１の切欠き４６１、４６２の間の位置には、基板側コネクタ４７７、４７８が設けられている。基板側コネクタ４７７は、雀球遊技機１０（図１参照）のサブ制御装置に電気的に接続するハーネス８０２のハーネス側コネクタ８１２と結合する。基板側コネクタ４７８は、中継基板３６（図３参照）に接続するハーネス８０３のハーネス側コネクタ８１３と結合する。ハーネス８０３は、電源装置３２から中継基板３６を介してメダル払出装置３８への電力を供給するためのものである。
【００６９】
透明カバー４０４は、透光性を有する素材で前面側壁部４８１、右側壁部４８２及び背面側壁部４８３を一体形成したものである。
【００７０】
背面側壁部４８３の上辺中央にはネジ挿通孔４８６を有するネジ止め部が上方に突出して形成されている。背面側壁部４８３の下辺中央にはネジ挿通孔４８７を有するネジ止め部が下方に突出して形成されている。ネジ挿通孔４８６、４８７には、それぞれネジ４２４、４２５のネジ部が挿通する
【００７１】
電源装置ケース４０３は、金属板を背面側が開口する箱形状に折り曲げて形成されたものであり、壁面を貫通して複数の放熱孔５００、５００…が形成され、前記電源装置基板４０２を内部に収納する。電源装置ケース４０３は、前面側壁部４９０と前面側壁部の背面側を取り囲む上下左右の壁部４９１、４９２、４９３、４９４を有している。
【００７２】
前面側壁部４９０の壁面には、複数の放熱孔５００、５００…が形成されている。前面側壁部４９０の壁面の中央より若干右寄りの位置には、縦長四辺形の開口５０１が形成されている。開口５０１の左側奥方及び右側奥方には、ヒューズ取付基板４０５をネジ止めするためのネジ止め部５０２、５０３が形成されている。
【００７３】
ネジ止め部５０２の上部には、ネジ４２２のネジ部が螺入されるネジ孔５０４が形成されている。ネジ止め部５０２の下部には、ネジ４２３のネジ部が螺入されるネジ孔５０５が形成されている。ここで、前記ネジ止め部５０２、５０３は、左右の板状部５０８、５０９を介して前面側壁部４９０に一体で形成されており、ヒューズ取付基板４０５及び左右の板状部５０８、５０９は、前面側壁部４９０の壁面の外側から内側に向けて窪む、ヒューズ収容部としての凹部５１０（図１２参照）を形成するようになっている。
【００７４】
前面側壁部４９０の壁面の開口５０１より若干左下の位置には、ローレットネジ４０７のネジ部が螺入されるネジ孔５０６が形成されている。前面側壁部４９０の壁面の開口５０１より若干右上の位置には、ローレットネジ４０８のネジ部が螺入されるネジ孔５０７が形成されている。
【００７５】
ヒューズ取付基板４０５の左上コーナー近傍及び右下コーナー近傍の位置には、それぞれネジ挿通孔５１１、５１２が形成されている。ネジ挿通孔５１１、５１２には、それぞれネジ４２２、４２３のネジ部が挿通する。ヒューズ取付基板４０５の一面となる前面には、三本のヒューズ５１３、５１４、５１５がホルダ５１６、５１７、５１８、５１９、５２０、５２１（図１２参照）を介して取り付けられている。
【００７６】
前記ヒューズカバー板４０６は、透光性を有する素材で板状に形成され、その板面の対角の一方の側となる左下側に前記第１のローレットネジ４０７のネジ部が挿通するネジ部挿通孔５３１が形成され、その板面の対角の他方の側に前記第２のローレットネジ４０８のネジ部が挿通するスリット５３２を有している。このスリット５３２は、前記ネジ部挿通孔５３１を中心として円周上に形成され、形成方向の一方が側がヒューズカバー板４０６の右辺に繋がっている。
【００７７】
電源装置ケース４０３の上側壁部４９１の後端には、上方から取付板４０１の段部４３９に係止するフック部５４１が形成されている。
【００７８】
電源装置ケース４０３の下側壁部４９２の後端の左右及び中央の位置には、ネジ止め部５４２、５４３、５４４が形成されている。ネジ止め部５４２、５４３、５４４には、それぞれネジ部挿通孔５４５、５４６、５４７が形成されている。ネジ部挿通孔５４５、５４６、５４７には、それぞれネジ４１９、４２０、４２１が挿通する。また、電源装置ケース４０３の下側壁部４９２には、基板側コネクタ４７６を外部に露出させるための切り欠き５４８と、基板側コネクタ４７７、４７８を外部に露出させるための切り欠き５４９が形成されている。
【００７９】
電源装置ケース４０３の右側壁部４９４の後端には、電源装置基板４０２に取り付けられた電源コード４７９が挿入される切り欠き５５０が形成されている。
【００８０】
以下、電源装置３２の組み立て方法を説明する。作業者は、ネジ４２４、４２５のネジ部をそれぞれ透明カバー４０４のネジ挿通孔４８６、４８７に挿入し、それぞれ取付板４０１のネジ孔４４８、４４９に螺入することで、透明カバー４０４を取付板４０１に固定する。
【００８１】
次に、作業者は、電源装置基板４０２のＣＰＵ４７５を実装する右側を透明カバー４０４の前面側壁部４８１と背面側壁部４８３の間の隙間に挿入し、ネジ４１５、４１６、４１７、４１８を、それぞれ電源装置基板４０２のネジ挿通孔４６５、４６６、４６７、４６８に挿入し、取付板４０１のネジ止め部４４１、４４２、４４３、４４４のネジ孔に螺入することで、電源装置基板４０２を取付板４０１にネジ止め固定する。
【００８２】
次に、作業者は、ネジ４１１、４１２のネジ部をそれぞれ取付板４０１のネジ止め部４３１、４３２の切欠き４３５及び長孔４３６に挿入し、それぞれ背板３１ｅのネジ孔３３１、３３２に螺入することで、取付板４０１のネジ止め部４３１、４３２を背板３１ｅにネジ止め固定する。さらに、作業者は、ネジ４１３、４１４のネジ部をそれぞれ取付板４０１のネジ止め部４３３、４３４の切欠き４３７及び長孔４３８に挿入し、それぞれ背板３１ｅのネジ孔３３３、３３４に螺入することで、取付板４０１のネジ止め部４３３、４３４を背板３１ｅにネジ止め固定する。これにより、背板３１ｅには取付板４０１が固定され、取付板４０１、電源装置基板４０２及び透明カバー４０４は、図５の状態で背板３１ｅの内側面に配置する。
【００８３】
次に、作業者は、図４に示す電源装置ケース４０３の前面側壁部４９０の開口５０１にヒューズ取付基板４０５を挿入し、ネジ４２２、４２３のネジ部をそれぞれヒューズ取付基板４０５のネジ挿通孔５１１、５１２に挿入し、ネジ止め部５０２、５０３をそれぞれネジ孔５０４、５０５に螺入することで、ヒューズ取付基板４０５を開口５０１の奥に取付固定する。
【００８４】
次に、作業者は、ローレットネジ４０７、４０８のネジ部を、それぞれヒューズカバー板４０６のネジ部挿通孔５３１及びスリット５３２に挿入し、それぞれ前面側壁部４９０のネジ孔５０６、５０７に螺入することで、前面側壁部４９０にヒューズカバー板４０６を取り付ける。
【００８５】
次に、作業者は、電源装置ケース４０３のフック部５４１を取付板４０１の段部４３９に係止し、ネジ４１９、４２０、４２１のネジ部を、それぞれ電源装置ケース４０３のネジ止め部５４２、５４３、５４４のネジ部挿通孔５４５、５４６、５４７を挿入し、それぞれ取付板４０１のネジ挿通孔４４５、４４６、４４７に螺入することで、電源装置ケース４０３を取付板４０１に固定する。これにより、電源装置ケース４０３は、取付板４０１を取り付けられ、図６に示す電源装置３２が完成する。
【００８６】
この後、作業者は、図７に示すように切り欠き５４８から露出する基板側コネクタ４７６にハーネス８０１のハーネス側コネクタ８１１を結合し、切り欠き５４９から露出する基板側コネクタ４７７、４７８にそれぞれハーネス８０２、８０３のハーネス側コネクタ８１２、８１３を結合し、基板側コネクタ４７６とハーネス側コネクタ８１１にコネクタカバー８２１を被せることで、電源装置３２を稼働可能な状態にする。
【００８７】
次に、透明カバー４０４について詳細に説明する。図８において、透明カバー４０４の前面側壁部４８１及び右側壁部４８２は、電源装置基板４０２の要部であるＣＰＵ４７５周囲に形成された前記放熱孔５００、５００、…を前記電源装置ケース４０３の内側に配置された状態で覆う。
【００８８】
次に、基板側コネクタ４７６、ハーネス側コネクタ８１１及びコネクタカバー８２１について詳細に説明する。図９及び図１０において、基板側コネクタ４７６のケース前面４７６ａには、溝部８２２が形成されている。ハーネス側コネクタ８１１には、溝部８２２に係止する爪部８２３が形成されている。ハーネス側コネクタ８１１には、溝部８２２に対する爪部８２３の係止を解除するための押圧部８２４が設けられている。
【００８９】
コネクタカバー８２１は、基端部８３１にハーネス側コネクタ８１１が密着した状態で挿入される挿入孔８３２が形成されている。また、コネクタカバー８２１は、基端部８３１から拡開形状のファネル部８３３を経てハーネス側コネクタ８１１と基板側コネクタ４７６を密着した状態で覆う枠形状部８３４を有している。
【００９０】
次に、作業者が電源装置ケース４０３の前面側壁部４９０の開口５０１を開放する場合の動作を説明する。この場合、作業者は、図１１において、ローレットネジ４０７、４０８を緩め、ヒューズカバー板４０６を反時計回りに回転させる。この回転動作において、ヒューズカバー板４０６のスリット５３２は、ローレットネジ４０８のネジ部に接触することなく、ローレットネジ４０８のネジ部から外れ、図１２に示すように、ヒューズカバー板４０６のスリット５３２の形成側が下方に移動し、電源装置ケース４０３の前面側壁部４９０の開口５０１を開口し、三本のヒューズ５１３、５１４、５１５が交換可能な状態になる。
【００９１】
次に、作業者が電源装置ケース４０３の前面側壁部４９０の開口５０１を閉塞する場合の動作を説明する。この場合、作業者は、図１２に示すヒューズカバー板４０６を時計回りに回転させ、スリット５３２の端にローレットネジ４０８のネジ部に接触させた状態で、ローレットネジ４０７、４０８を締め、ヒューズカバー板４０６が開口５０１を閉塞した状態で当該ヒューズカバー板４０６を前面側壁部４９０に固定する。
【００９２】
次に、本発明に関する主制御装置３４を詳細に説明する。図１３は、主制御装置３４及びその周辺部の分解斜視図である。図１４は、主制御装置３４及びその周辺部の組み立てた状態の斜視図である。図１５は、主制御装置３４及びその周辺部の断面図である。
【００９３】
図１３において、主制御装置３４は、主制御基板１００を透明な前後のプラスチックケース５５１、５５２に格納したものである。
【００９４】
プラスチックケース５５１は、背面の開口５５３に主制御基板１００が挿入され、ネジ５５４、５５５、５５６、５５７によりネジ止め固定される。プラスチックケース５５１の上面５６１には、複数のかしめ部材５７１、５７１、…と嵌合する嵌合部５６２、５６２、…が形成されている。プラスチックケース５５１の下面５６３には、複数のかしめ部材５７２、５７２、…と嵌合する複数の嵌合部５６４、５６４、…が形成されている。
【００９５】
プラスチックケース５５２は、前面に開口５６５を有している。プラスチックケース５５２の上面５６６には、複数のかしめ部材５７１、５７１、…と嵌合する嵌合部５６７、５６７、…が形成されている。プラスチックケース５５２の下面５６８には、複数のかしめ部材５７２、５７２、…と嵌合する嵌合部５６９、５６９、…が形成されている。
【００９６】
プラスチックケース５５１、５５２は、かしめ部材５７１、５７１、…、５７２、５７２、…を介して開放不可の状態で嵌合固定する。プラスチックケース５５１の前面の左辺には、段部５７３が形成されている。プラスチックケース５５１の前面の右辺には、段部５７４、５７５が形成されている。
【００９７】
左右のブラケット５８１、５８２は、プラスチックを素材として金型形成され、プラスチックケース５５２を保持するためのものである。左のブラケット５８１は、プラスチックケース５５１の段部５７３に係止する爪部５８３が形成されるとともに、ネジ５９１、５９３のネジ部が挿通するネジ部挿通孔５８６、５８８が形成されている。右のブラケット５８２は、プラスチックケース５５１の段部５７４、５７５に係止する爪部５８４、５８５が形成されるとともに、ネジ５９２、５９４のネジ部が挿通するネジ部挿通孔５８７、５８９が形成されている。
【００９８】
金属板８４１は、ステンレス鋼等の硬度の高い金属を横長の四辺形の板状に形成したものである。金属板８４１には、ネジ５９１、５９２、５９２、５９４のネジ部がそれぞれ挿通するネジ部挿通孔８５１、８５２、８５３、８５４が形成されている。
【００９９】
背板３１ｅには、ネジ５９１、５９２、５９２、５９４のネジ部がそれぞれ螺入するネジ孔８６１、８６２、８６３、８６４が形成されている。ネジ５９１、５９３は、そのネジ部が、左のブラケット５８１のネジ部挿通孔５８６、５８８にそれぞれ挿入し、金属板８４１のネジ部挿通孔８５１、８５３にそれぞれ挿入し、背板３１ｅのネジ孔８６１、８６３にそれぞれ螺入して締め付けられることで、金属板８４１を介して左のブラケット５８１を背板３１ｅにネジ止め固定する。
【０１００】
ネジ５９２、５９４は、そのネジ部が、右のブラケット５８２のネジ部挿通孔５８７、５８９にそれぞれ挿入し、金属板８４１のネジ部挿通孔８５２、８５４にそれぞれ挿入し、背板３１ｅのネジ孔８６２、８６４にそれぞれ螺入して締め付けられることで、金属板８４１を介して右のブラケット５８２を背板３１ｅにネジ止め固定する。
【０１０１】
左右のブラケット５８１、５８２は、金属板８４１を介して背板３１ｅに固定された状態で、主制御装置３４のプラスチックケース５５１の段部５７３、５７４、５７５にそれぞれ爪部５８３、５８４、５８５が係止することで、図１４に示すように、主制御装置３４を保持する。この状態では、図１５に示すように、主制御装置３４と背板３１ｅの間に金属板８４１が配置する。
【０１０２】
かかる構成の雀球遊技機１０によれば、透光性を有する素材で形成された透明カバー４０４が、前記電源装置ケース４０３の内側に配置された状態で前記電源装置基板４０２の要部の周囲に位置する前記放熱孔５００を覆うので、前記電源装置基板４０２の要部のＣＰＵ４７５に不正器具が接触するのを防止するとともに、電源装置ケース４０３の外側から前記放熱孔５００を介してＣＰＵ４７５の状態を目視確認でき、メンテナンス作業性損なうことなく不正行為を効率的に防止できる。
【０１０３】
また、かかる構成の雀球遊技機１０によれば、前記ハーネス側コネクタ８１１が前記基板側コネクタ４７６に接続した状態で少なくとも前記ハーネス側コネクタ８１１を可撓性の素材で形成されたコネクタカバー８１３が包囲するので、前記コネクタカバー８１３の上から前記ハーネス側コネクタ８１１の押圧部８２４等を容易に操作でき、メンテナンス作業性を損なうことなく不正行為を効率的に防止できる。
【０１０４】
また、かかる構成の雀球遊技機１０によれば、ヒューズカバー板４０６は、電源装置ケース４０３のヒューズ５１３、５１４、５１５を収納した凹部５１０の開口を覆った状態で第１及び第２のローレットネジ４０７、４０８により前記凹部５１０の縁部にネジ止め固定されるとともに、第１及び第２のローレットネジ４０７、４０８を緩めるだけで、第１のローレットネジ４０７を中心にして回転可能になり、前記凹部５１０の開口５０１を開放して前記ヒューズ５１３、５１４、５１５を交換することができるので、メンテナンス作業性を損なうことなく不正行為を効率的に防止できる。
【０１０５】
また、かかる構成の雀球遊技機１０によれば、主制御基板用ケースであるところのプラスチックケース５５１、５５２は、金属板８４１を挟んで筐体３１の背板３１ｅの内側に取り付けられているので、背板３１ｅの裏側から主制御基板用ケース５５２に孔を開けるのを防止でき、メンテナンス作業性を損なうことなく不正行為を効率的に防止できる。
【０１０６】
次に、本発明に係る雀球遊技機において電源装置の部分の他の実施形態を説明する。ここで、図１６は、この実施形態による電源装置９３２及びその周辺部の分解斜視図である。図１７は背板３１ｅに電源装置９３２のゴム板９４１及び電源装置基板４０２を取り付けた状態を示す斜視図である。図１８は電源装置９３２及びその周辺部の右上側から見た斜視図である。図１９は電源装置９３２及びその周辺部の断面図である。なお、他の実施形態の雀球遊技機の図１６乃至図１９に示す以外の部分は、図１乃至図１５に示した実施形態と同様の構成になっている。図１６乃至図１９では、図１乃至図１５に示した実施形態と同様の構成要素に同じ符号を付して説明を省略している。
【０１０７】
図１６において、雀球遊技機の電源装置９３２は、ゴム板９４１と、電源装置基板４０２と、電源装置ケース９４３と、ヒューズ取付基板４０５と、ヒューズカバー板４０６と、第１及び第２のローレットネジ４０７、４０８と、ネジ４２２、４２３と、ネジ９１１、９１２、…、９１９とから構成されている。
【０１０８】
電源装置ケース９４３の上側壁部９４３の後端の左右の位置には、それぞれネジ止め部９４４、９４５が形成されている。ネジ止め部９４４、９４５には、それぞれネジ部挿通孔９４６、９４７が形成されている。ネジ部挿通孔９４６、９４７には、それぞれネジ９１１、９１２のネジ部が挿通する。
【０１０９】
ゴム板９４１は、弾性を有するゴムを素材とし、左右が電源装置基板４０２と同じサイズに形成され、上下が電源装置基板４０２の上辺から切欠き４６１、４６２の上端が形成されるまでのサイズに形成されている。ゴム板９４１は、板面の四隅近傍の位置には、ネジ９１６、９１７、９１８、９１９のネジ部が挿通するネジ部挿通孔９５１、９５２、９５３、９５４が形成されている。
【０１１０】
雀球遊技機の筐体３１の背板３１ｅの内側面には、ネジ９１１、９１２、…、９１９のネジ部がそれぞれ螺入されるネジ孔９６１、９６２、…、９６９が形成されている。ネジ９１６、９１７、９１８、９１９は、そのネジ部が電源装置基板４０２のネジ部挿通孔４６５、４６６、４６７、４６８にそれぞれ挿入し、ゴム板９４１のネジ部挿通孔９５１、９５２、９５３、９５４にそれぞれ挿入し、背板３１ｅのネジ孔９６６、９６７、９６８、９６９にそれぞれ螺入して締め付けられることで、図１７に示すように、電源装置基板４０２及びゴム板９４１を背板３１ｅの内側面にネジ止め固定する。この状態で、ゴム板９４１は、一面が電源装置基板４０２の配線面に密着し、他面が背板３１ｅの内側面に密着する。
【０１１１】
ネジ９１１、９１２、９１３、９１４、９１５は、そのネジ部が電源装置ケース４０３のネジ止め部９４４、９４５、５４２，５４３、５４４のネジ部挿通孔９４６、９４７、５４５、５４６、５４７にそれぞれ挿入し、背板３１ｅのネジ孔９６１、９６２、９６３、９６４、９６５にそれぞれ螺入して締め付けられることで、電源装置ケース４０３に電源装置基板４０２及びゴム板９４１を収納した状態で、図１８及び図１９に示すように、電源装置ケース４０３を背板３１ｅの内側面にネジ止め固定する。このような構成により、ゴム板９４１は、非導電性の素材で板状に形成されている。
【０１１２】
電源装置基板４０２は、一面側が部品実装面となり、他面側が配線面となり、前記配線面と前記筐体（図３の筐体３０参照）の内面（背板３１ｅの内側面）の間に前記ゴム板９４１を密着介挿した状態で前記内面（背板３１ｅの内側面）に取り付け固定され、前記電力を生成する。電源装置ケース９４２は、前記前記内面（背板３１ｅの内側面）に取り付け固定され、前記電源装置基板４０２及びその周辺部を覆うことで当該電源装置基板４０２を内部に収納する。
【０１１３】
かかる実施形態の雀球遊技機１０によれば、電源装置基板４０２は、図１９に示すように、その配線面と背板３１ｅの内側面の間に非導電性の素材で板状に形成されたゴム板９４１を密着介挿した状態で背板３１ｅに固定されるので、電源装置基板４０２の他面側に不正器具が接触するのを防止でき、前記配線面メンテナンス作業性を損なうことなく不正行為を効率的に防止できる。
【図面の簡単な説明】
【０１１４】
【図１】図１は、本発明の一実施形態による雀球遊技機の正面図である。
【図２】図２は、図１に示した雀球遊技機の側面図である。
【図３】図３は、本発明の一実施形態による雀球遊技機の前枠を取り外した状態での筐体内部構造を表した正面図である。
【図４】図４は、本発明の一実施形態による雀球遊技機のガラス枠部材の電源装置及びその周辺部の分解斜視図である。
【図５】図５は、本発明の一実施形態による背板に取付板及び電源装置基板を取り付けた状態を示す斜視図である。
【図６】図６は、本発明の一実施形態による電源装置及びその周辺部の右斜め上側から見た斜視図である。
【図７】図７は、本発明の一実施形態による電源装置及びその周辺部の右斜め下側から見た斜視図である。
【図８】図８は、本発明の一実施形態による電源装置の透明カバー及びその周辺部の断面図である。
【図９】図９は、本発明の一実施形態による電源装置のコネクタ接続部の正面側から見た断面図である。
【図１０】図１０は、本発明の一実施形態による電源装置のコネクタ接続部の右側方から見た断面図である。
【図１１】図１１は、本発明の一実施形態による電源装置及びその周辺部のヒューズカバー板を閉じた状態の正面図である。
【図１２】図１２は、本発明の一実施形態による電源装置及びその周辺部のヒューズカバー板を開いた状態の正面図である。
【図１３】図１３は、本発明の一実施形態による主制御装置及びその周辺部の分解斜視図である。
【図１４】図１４は、本発明の一実施形態による主制御装置及びその周辺部の組み立てた状態の斜視図である。
【図１５】図１５は、本発明の一実施形態による主制御装置及びその周辺部の断面図である。
【図１６】図１６は、本発明の他の実施形態による電源装置及びその周辺部の分解斜視図である。
【図１７】図１７は、本発明の他の実施形態による背板に電源装置のゴム板及び電源装置基板を取り付けた状態を示す斜視図である。
【図１８】図１８は、本発明の他の実施形態による電源装置及びその周辺部の右上側から見た斜視図である。
【図１９】図１９は、本発明の他の実施形態による電源装置及びその周辺部の断面図である。
【符号の説明】
【０１１５】
１０…雀球遊技機、１１…前枠、１２…蝶番軸支部、
１３…ガラス枠部、１３ａ…開口部、
１４…第１の画像制御液晶表示装置、１５…コンパネ部、
１５ａ…上部面、１５ｂ…下部面、１６ａ、１６ｂ…演出用ランプ、
１７ａ、１７ｂ…演出用ランプ、１８…鍵穴、１９…一体皿パネル、
２０…遊技盤面、２１…第２の画像制御液晶表示装置、２２…飾り部、
２３…ドットランプ装置、２４…特別入球口、
２５ａ、２５ｂ…入球口、２６…通過口、２７…風車、
２８…入球口列、２９ａ…レール部材、２９…球発射通路、
３０…筐体、３０ａ…開口、
３１ａ…上板、３１ｅ…背板、３１ｂ…底板、３１ｃ、３１ｄ…側板、
３１ｅ…背板、３２…電源装置、３３…外部端子基板、
３４…主制御装置、３６…中継基板、
３８…メダル払出装置、３８ａ…メダル放出口、
３９…オーバーフロータンク、４０…メダル投入部、
４１…メダル返却ボタン、４２…捨牌ボタン、
４３…ＢＥＴボタン、４４…リーチボタン、
４５ａ、４５ｂ…シフトボタン、４６…選択決定ボタン、
５１…メダルの受け皿部、５２…メダル出口部、
５３ａ、５３ｂ…放音口、６０…ガラス枠部材、
７０…中枠部材、８１…等球発射レバー、
１００…制御回路基板、１１１…ロックプレート、
１１２…ロックプレート、１１３…ガイドプレート、
３８１…ホッパー部、３８２…メダル払出機構部、
４０１…取付板、４０２…電源装置基板、４０３…電源装置ケース、
４０４…透明カバー、４０５…ヒューズ取付基板、
４０６…ヒューズカバー板、
４０７、４０８…第１及び第２のローレットネジ、
４１１、４１２、４１３、４１４、４１５、４１６…ネジ、
４１７、４１８、４１９、４２０、４２１、４２２…ネジ、
４２３、４２４、４２５…ネジ、
４３１、４３２、４３３、４３４…ネジ止め部、
４３５…切欠き、４３６…長孔、４３９…段部、４３７…切欠き、
４３８…長孔、３３１、３３２、３３３、３３４…ネジ孔、
４４１、４４２…ネジ止め部、４４５、４４６…ネジ挿通孔、
４４７…ネジ挿通孔、４４３、４４４…ネジ止め部、
４４８…ネジ挿通孔、４４９…ネジ挿通孔、４６０…印刷配線板、
４６１、４６２…切欠き、４６３…切欠き、
４６５、４６６、４６７、４６８…ネジ挿通孔、
４７１…部品実装面、４７２…コイル、４７３、４７４…コンデンサ、
４７５…ＣＰＵ、４７６、４７７、４７８…基板側コネクタ、
４７９ａ…プラグ、４７９…電源コード、４８１…前面側壁部、
４８２…右側壁部、４８３…背面側壁部、４８６、４８７…ネジ挿通孔、
４９０、４９１、４９２、４９３、４９４…壁部、５００…放熱孔、
５０１…開口、５０２、５０３…ネジ止め部、５０４…ネジ孔、
５０５、５０６、５０７…ネジ孔、５０８、５０９…板状部、
５１０…凹部、５１１、５１２…ネジ挿通孔、
５１３、５１４、５１５…ヒューズ、
５１６、５１７、５１８、５１９、５２０、５２１…ホルダ、
５３１…ネジ部挿通孔、５３２…スリット、５３１…ネジ部挿通孔、
５４１…フック部、５４２、５４３、５４４…ネジ止め部、
５４５、５４６、５４７…ネジ部挿通孔、
５４８、５４９、５５０…切り欠き、
５５１、５５２…プラスチックケース、５５３…開口、
５５４、５５５、５５６、５５７…ネジ、５６１…上面、
５６２…嵌合部、５６３…下面、５６４…嵌合部、５６５…開口、
５６６…上面、５６７…嵌合部、５６８…下面、５６９…嵌合部、
５７１…かしめ部材、５７２…かしめ部材、５７３…段部、
５７４、５７５…段部、５８１、５８２…左右の取付ブラケット、
５８３…爪部、５８６、５８８…ネジ部挿通孔、
５８４、５８５…爪部、５８７、５８９…ネジ部挿通孔、
８０１、８０２、８０３…ハーネス、
８１１…ハーネス側コネクタ、
８１２…ハーネス側コネクタ、
８０３…ハーネス、８１３…ハーネス側コネクタ、
８２１…コネクタカバー、８４０…コネクタ接続部、
８４１…金属板、８５１、８５２、８５３、８５４…ネジ部挿通孔、
８６１、８６２、８６３、８６４…ネジ孔、
９１１、９１２、９１３、９１４、９１５、９１６…ネジ、
９１７、９１８、９１９…ネジ、９３２…電源装置、
９４１…ゴム板、９４２…電源装置ケース、９４３…上側壁部、
９４４、９４５…ネジ止め部、９４６、９４７…ネジ部挿通孔、
９５１、９５２、９５３、９５４…ネジ部挿通孔、
９６１、９６２、９６３、９６４、９６５、９６９…ネジ孔
【図１】
2008173340.tif 000003
【図２】
2008173340.tif 000004
【図３】
2008173340.tif 000005
【図４】
2008173340.tif 000006
【図５】
2008173340.tif 000007
【図６】
2008173340.tif 000008
【図７】
2008173340.tif 000009
【図８】
2008173340.tif 000010
【図９】
2008173340.tif 000011
【図１０】
2008173340.tif 000012
【図１１】
2008173340.tif 000013
【図１２】
2008173340.tif 000014
【図１３】
2008173340.tif 000015
【図１４】
2008173340.tif 000016
【図１５】
2008173340.tif 000017
【図１６】
2008173340.tif 000018
【図１７】
2008173340.tif 000019
【図１８】
2008173340.tif 000020
【図１９】
2008173340.tif 000021